(57)【要約】      （修正有）【課題】裏面利用の月めくりエコカレンダーを提供する。【解決手段】１枚目のＨ−１をめくり上げ６月が終わって、２枚目のＨ−２をめくり上げると７月〜１２月が表示される。１年の終了時には、そのまま分別しなくても再利用、又は焼えるゴミとして廃棄できる。１枚の用紙の表面だけに３ヶ月ずつの印刷では、表紙を含めて５枚の用紙を必要とする。だが同じ３ヶ月ずつの表面と裏面利用では表紙を含めても３枚で済み、約４０％相当の用紙削減ができ、約４０％相当の節約に繋がり、エコ化対策にも寄与できる。このエコ化は他の枚数型でも同様に削減が出来る。【選択図】図４
2012218430.tif 000002
【特許請求の範囲】
【請求項１】
月めくりカレンダー用紙に何も印刷がされていない表紙の裏面と、他の用紙の裏面の双方に表面と同様に、月、日、曜日等を印刷する事を特徴とし、また用紙の枚数削減による、資源の削減と節約のエコ化と廃棄処分としての焼却時に於けるＣＯ２の少量化を目的としたエコカレンダー。
【請求項２】
月数字の印刷は縦型、横型にする事が出来、形状とすればカレンダー用紙の１枚型と、３枚型、４枚型、７枚型のカレンダー用紙の使用が最良と思われる。
又、表紙部の用紙を省けば２枚型も作成が可能である。
【発明の詳細な説明】
【技術分野】
【０００１】本発明は、月めくりカレンダー用紙の裏面にも、月、日、曜日等を印刷する事により材料用紙資源等の削減と節約、それに伴う廃棄焼却時のＣＯ２削減とエコ化に関するものであり、この目的に寄与できるカレンダーである。
【背景技術】
【０００２】従来の月めくりカレンダーは、月が変わると、使用済みとして、好みの大きさに切断されメモ用紙等や、又その他、資源物として再利用されている。しかし、他は廃棄処分として焼却されているのが現状である。
［特許文献１］及び［非特許文献１］の件ですが、慣れないパソコンを駆使して特許    電子図書館から、図書館トップページ、ＩＰＤＬ、広報テキスト検索、パテントマッ    プガイダンス、そして分類コード等々で絞り込んだのですが見当たりませんでした。
【発明の開示】
【発明が解決しようとする課題】
【０００３】カレンダー用紙に限っただけでもないが、原材料を輸入している現在、原材料資源の削減が求められる。そして廃棄処分の焼却時に発生するＣＯ２の、排出総量規制が求められる中で、削減が必須ではなかろうかと言う、道理を解決する事を課題とした。
【課題を解決する為の手段】
【０００４】この課題を解決する為の請求項１の発明は、印刷のない裏面部分にも印刷活用する事を特徴とした。そこで表面だけの印刷と、本発明の裏面にも印刷した時の比較ではカレンダー１部に付き、用紙の枚数が約４０％相当の削減ができ約４０％相当の節約が可能となる。従って、廃棄処分量が縮小され、焼却時のＣＯ２の排出量の少量化にも寄与する事が出来る。
【０００５】また、請求項２の発明の形状の種類としては、縦型と横型にする事ができ、１枚型と３枚型、４枚型、７枚型のカレンダー用紙の使用が最良と思われる。
又、表紙部の用紙を省けば２枚型も作成が可能である。
【発明の効果】
【０００６】課題の解決には本発明の様な大胆な裏面利用の策を講じなければ、削減の改善は何時迄も出来ないものと思う。例えば図１の１枚型を例に取った場合、同じ文字の大きさで１枚の表面に１２ヵ月の  月数を印刷をした時と、本発明の表面に６ヶ月、裏面に６ヶ月と印刷した時の比較では約４０％相当の用紙が軽減でき、用紙の約４０％相当の節約のエコ化につながる。
そして、このエコ化は、当発明の１枚、２枚、３枚、４枚、７枚型に全て当てはまる。
又、月めくりカレンダーとして、図４の３枚型では１枚めくると６ヶ月間、図３の４枚型でも１枚めくると同様に４ヶ月間の長期の予定が記入でき、その記録が残るのが喜ばしい。
【発明を実施する為の最良の形態】
【０００７】発明の形態としての重ね合わせした時の接合には、金属類やプラスチック類を使用しないホットメルト工法が最良と考えられます。それにより最終月の１２月終了時にはゴミ選別の手間が省かれ廃棄が容易となる。そこでカレンダー用紙を月別に順序良く重ね合わせ、図５▲ロ▼の穴をあける時の位置は、カレンダー用紙最下端部の中心より上方に図５▲チ▼の間隔をあけ穴を開ける。その穴は釘やフック用の壁掛け用であり、図６の穴▲ト▼はカレンダーを利用する前に壁等に掛けて置く為の穴であるが、その位置は記号Ａのホットメルト工法の上下左右の中心位にあける。Ａはカレンダー用紙より多少厚手の紙で図６▲イ▼の折れ線より僅か上部の位置から、折れ線に沿って左右両端まで表面と裏面をカレンダー用紙と共に挟み込む様にして圧着等で接合させる。しかし、コスト面等を考慮した時、用紙枚数が少なくカレンダーの重さも軽い為、他の方法で２箇所位のステープラー止めや、接着剤での貼り合わせでも良いと思う。理由としては最初の利用時に１枚をめくればホットメルト工法や、他の接合部が隠れてしまうからである。
【産業上の利用可能性】
【０００８】本発明に係る、裏面を利用の月めくりエコカレンダーは工業的に量産する事が可能であり産業上の利用可能性を有すると思います。特に材料資源の削減と節約で、カレンダーの購買意欲の低下が聞かれる中で上質紙使用の現カレンダーの価格にも順応できると思う。
従って、購買意欲の上昇に期待が持てるのではなかろうか。
【図面の簡単な説明】
【０００９】
【図１】本発明に係る、カレンダー用紙１枚の表面と、印刷が無い裏面との両面に１２ヶ月分の月数を印刷したものであり、カレンダー用紙の表面に１月〜６月分を印刷し、裏面には７月〜１２月の印刷をしたものである。
【図２】本発明に係る、カレンダー用紙３枚型で、１枚目の表面の表紙部と裏面そして他の用紙の表面、裏面にそれぞれ月数を印刷した形状である。１枚目の表面Ｈ−１に、表紙として社名等の印刷、その裏面Ｕ−１に１月〜３月分を印刷。２枚目の表面Ｈ−２に、４月〜６月分の印刷、その裏面Ｕ−２に７月〜９月分を印刷。３枚目の表面Ｈ−３に、１０月〜１２月分の印刷をし、その裏面には印刷なしの図である。
【図３】本発明に係る、カレンダー用紙４枚で、図２と同様に月数等を印刷した形状である。１枚目の表面Ｈ−１に表紙として社名等の印刷をし、その裏面Ｕ−１に１月と２月  ２枚目の表面Ｈ−２に３月と４月、裏面Ｕ−２に５月と６月  ３枚目の表面Ｈ−３に７月と８月、裏面Ｕ−３に９月と１０月  ４枚目の表面Ｈ−４に１１月と１２月を印刷、４枚目表面Ｈ−４の裏は印刷なしの図である。
【図４】本発明、図２の３枚型でカレンダー用紙の接合後の図Ｋの動線図である。利用時はＨ−１の表紙の１枚目をめくり上げ、下部中心に開けておいた図５の穴▲ロ▼に釘やフック等を通し壁等に掛ける。それにより１月〜６月が通して表示される。６月が終了後は、Ｈ−２の２枚目をめくり上げ同様に穴に掛けると７月〜１２月が通して表示される。１２月が終了後は、分別する必要がなく資源物としての再利用又は燃えるゴミとして廃棄が容易である。１枚に１ヶ月ずつの印刷をする、７枚型と図３の４枚型と、図面説明には載せていませんが表紙面の裏面と他の用紙の表面と裏面６枚に印刷後、同様の手順のめくり上げですので省かせて頂きました。
【図５】本発明、図２の３枚型のＨ−２を例にした４月〜６月の図である。図５の▲ロ▼の穴をあける時の位置と、あけた穴▲ロ▼の外径下部分からカレンダー用紙の最下端部、図５の▲チ▼迄の距離を示した図です。
【図６】本発明のカレンダー用紙、各枚数共通のホットメルト工法で仕上げた図である。
【符号の説明】
【００１０】２０      カレンダー用紙
１０      カレンダーの月数記載部
Ｈ−１    １枚目の表面（表紙部  Ｈは表面の頭文字）
Ｈ−２    ２枚目の表面
Ｈ−３    ３枚目の表面
Ｈ−４    ４枚目の表面
Ｕ−１    １枚目の裏面（Ｈ−１の裏  Ｕは裏面の頭文字）
Ｕ−２    ２枚目の裏面
Ｕ−３    ３枚目の裏面
従って、用紙に表面、裏面に印刷の関係上、Ｈ−１とＵ−１で１枚となりＨ−２とＵ−２、Ｈ−３とＵ−３も同様です。
また、図２のＨ−３と、図３のＨ−４の裏面の印刷はしない。
Ａ        ▲イ▼より３ｍｍ位の上から左右両端部までを挟み込むようにするカレンダー用紙より少し厚めのホットメルト工法用の用紙
Ｋ        カレンダー用紙３枚を順序良く重ね合わせた接合図
▲イ▼    折り曲げ用の折れ線
▲ロ▼    壁掛け用の釘、又はフックの掛け穴で直径６ｍｍ
▲ハ▼    Ｈ−１のカレンダー用紙をめくり上げる時の動線記号
▲ニ▼    接合した表紙部から、Ｈ−１をめくり上げた動作への移行記号
▲ホ▼    Ｈ−２のカレンダー用紙をめくり上げる時の動線記号
▲ヘ▼    Ｈ−２をめくり上げた動作への移行記号
▲ト▼    カレンダーを利用する前に壁等に掛けておく穴で直径６ｍｍ位置は図６のＡ部左右上下の中心部位に開ける。
▲チ▼    ▲ロ▼の穴径の最下端部から用紙中心の最下端部までの長さ８ｍｍ
【図１】
2012218430.tif 000003
【図２】
2012218430.tif 000004
【図３】
2012218430.tif 000005
【図４】
2012218430.tif 000006
【図５】
2012218430.tif 000007
【図６】
2012218430.tif 000008